(57)【要約】【課題】端末機器の試験・製造工程の多様な編成に対応できる試験装置を提供することであり、さらには端末機器の通信方式の種類、測定（試験）項目、数に対して、資源、試験時間の面において効率的な試験装置を提供することである。【解決手段】トータル制御手段９が、第１及び第２の端末制御手段５，６に対して、異なる通信方式の二つの端末機器のそれぞれの前記通信方式に応じたプログラム及び測定指示を出して、実行させて、各前記端末機器にそれぞれ制御する信号を含む試験信号を出力させる。第１及び第２の測定部７，８は、それぞれの端末機器が前記第１及び第２の端末制御手段からの前記試験信号に応答した応答信号を受けて、前記測定指示で定められた測定を行う。【選択図】      図１
2005012274.tif 000002
【特許請求の範囲】
【請求項１】
同一または異なる通信方式の二つの端末機器が接続可能となっている接続部（１７）と、
共通バスに接続され、それぞれ前記通信方式に応じたプログラム及び測定指示を受けて、それを実行することにより、前記接続部に接続可能となっている前記端末機器をそれぞれ制御する信号を含む試験信号を出力する第１及び第２の端末制御手段（５，６）と、
前記共通バスに接続され、前記第１及び第２の端末制御手段からの前記試験信号に応答した前記それぞれの端末機器からの応答信号を受けて、前記測定指示で定められた条件の測定を行う測定部（７，８）と、
前記共通バスを介して、予め前記第１及び第２の端末制御手段に対し、前記端末機器の通信方式に応じたプログラムを供給するとともに、前記測定指示を出力するトータル制御手段（９）とを備えた試験装置。
【請求項２】
前記接続部には、二つの端末機器が接続され、
前記トータル制御手段は、前記測定部が前記各端末機器からの応答信号を時間をずらして測定できるタイミングで前記第１の端末制御部及び第２の端末制御部で制御するよう指示することを特徴とする請求項１記載の試験装置。
【請求項３】
前記接続部には、二つの端末機器が接続され、
前記測定部は、第１の測定部と、第２の測定部とからなり、
前記トータル制御手段は、前記測定部が前記第各端末機器からの応答信号を時間をずらして測定できるタイミングで前記第１の端末制御部及び第２の端末制御部で制御するよう指示するとともに、前記第１の測定部と第２の測定部には、同一の端末機器の異なった測定項目を同時に行わせることを特徴とする請求項１記載の試験装置。
【請求項４】
前記接続部には、複数基地局間を移動して通信可能な通信方式の一つの端末機器が接続され、
前記トータル制御部は、前記第１の端末制御部及び前記第２の端末制御部に対して、前記通信方式の応じたプログラムをロードさせて実行させるとともに、前記第１の端末制御部に対して一方の擬似基地局としての試験信号を前記端末機器へ送信させ、前記第２の端末制御部に他方の擬似基地局として試験信号を前記端末機器に出力させることによりハンドオーバ試験を行わせることを特徴とする請求項１記載の試験装置。
【請求項５】
前記接続部には、通信方式の異なる二つの基地局間を移動して通信可能な前記異なる二つの通信方式を有する一つの端末機器が接続され、
前記トータル制御部は、前記第１の端末制御部及び前記第２の端末制御部に対して、それぞれ異なる通信方式に応じたプログラムをロードさせて実行させるとともに、前記第１の端末制御部に対して一方の通信方式の擬似基地局としての試験信号を前記端末機器へ送信させ、前記第２の端末制御部に他方の通信方式の擬似基地局として試験信号を前記端末機器に出力させることにより、通信方式の異なる擬似基地局間のハンドオーバ試験を行わせることを特徴とする請求項１記載の試験装置
【請求項６】
異なる二つの通信方式を有する少なくとも一つの端末機器が接続可能な接続部（１７）と、
共通バスに接続され、前記異なる通信方式のそれぞれに応じて前記端末機器を制御する信号を含む試験信号を出力する第１の端末制御部及び第２の端末制御部（５，６）と、
前記共通バスに接続され、前記端末機器が前記第１及び第２の端末制御手段から受けた前記異なる通信方式の試験信号のそれぞれに応答した応答信号を受けて測定を行う第１の測定部及び第２の測定部（７，８）と、
前記共通バスを介して、前記端末機器を前記第１の端末制御部及び第１の測定部により一方の通信方式にしたがって制御し測定させ、所定のタイミングで切り換えて前記前記第２の端末制御部及び第２の測定部により他の通信方式の通信方式にしたがって制御し測定させるトータル制御手段（９）とを備えた試験装置。
【請求項７】
前記第１及び第２の測定部で測定したデータを前記端末機器単位にまとめるデータ処理手段（１２）を備えたことを特徴とする請求項１から６のいづれか一項記載の試験装置。
【請求項８】
一つ又は二つの端末機器が接続可能な接続部（１７）と、
前記二つの前記端末機器を独立して所定のプログラムで定まる通信方式で前記端末機器を制御するための信号を含む試験信号を出力する第１の端末制御部及び第２の端末制御部（５，６）と、
前記第１及び第２の端末制御部からの試験信号に対する前記端末機器の応答を受けて測定するための第１の測定部及び第２の測定部（７，８）と、
前記通信方式に応じた前記制御プログラムを複数有し、次の組合せ構成の内、少なくとも一つの構成による測定を実行させるトータル制御部（１１）と
ａ．前記接続部に接続された前記二つの端末機器が同一の通信方式であって、前記第１の端末制御部及び第２の端末制御部に同一の通信方式に応じたプログラムをロードして実行させることにより、前記第１の端末制御部及び第１の測定部が一方の端末機器を制御し測定させ、前記第２の端末制御部及び第２の測定部が他方の端末機器を制御し測定させる第１の構成、
ｂ．前記接続部に接続された前記二つの端末機器が異なる通信方式であって、前記第１の端末制御部及び第２の端末制御部部のぞれぞれに前記異なる通信方式のそれぞれに対応するプログラムをロードして実行させることにより、前記第１の端末制御部及び第１の測定部が一方の端末機器を、前記第２の端末制御部及び第２の測定部が他方の異なる通信方式の端末機器を制御し測定する第２の構成、
ｃ．前記接続部には二つの通信方式を有する一つの端末機器が接続され、
前記第１の端末制御部及び第２の端末制御部のぞれぞれに前記異なる通信方式のそれぞれに対応する制御プログラムをロードして実行させることにより、前記第１の端末制御装置及び第１の測定部が一方の通信方式による測定を、前記第２の端末制御装置及び第２の測定部が他方の異なる通信方式による測定を行う第３の構成
とを備えたことを特徴とする試験装置。
【請求項９】
前記トータル制御部は、前記第１の構成、第２の構成又は第３の構成に加え、
前記接続部には所定の通信方式の一つの端末機器が接続され、前記第１の端末制御部に前記所定の通信方式のそれぞれに対応するプログラムをロードして実行させることにより該端末機器を制御させるとともに、前記第１の測定部及び第２の測定部のそれぞれに前記端末機器の異なる機能又は性能の測定を実行させる第４の構成、のいずれかの構成を選択的に実行させることを特徴とする請求項８記載の試験装置。
【請求項１０】
前記トータル制御部は、前記第１の構成、第２の構成又は第３の構成に加え、
前記接続部には所定の通信方式の一つの端末機器が接続され、前記第１の端末制御部に対して当該端末機器へ妨害信号を含む試験信号を送信させ、前記第２の端末制御部に前記所定の通信方式のプログラムをロードして実行させることにより該端末機器を制御させて、該制御に対する該端末機器の応答により、妨害波試験を行わせる第５の構成のいずれかの構成を選択的に実行させることを特徴とする請求項８記載の試験装置。
【請求項１１】
前記トータル制御手段は、前記測定部で測定した測定結果を前記それぞれの端末機器毎に記憶するデータメモリ（１３）と、操作部（１８）からの指示を受けて、前記データメモリから測定結果を読み出し、表示部（１５）に表示させる表示制御部（１４）とを備えたことを特徴とする請求項１記載の試験装置。
【請求項１２】
前記表示制御部は、操作部（１８）からの指示を受けて、各端末機器の測定結果、又は測定指示で定めた測定条件のうち少なくとも一つを選択的に切り替えて表示させることを特徴とする請求項１１記載の試験装置。
【発明の詳細な説明】
【０００１】
【発明の属する技術分野】
本発明は、多種の通信方式、例えば、Ｗ−ＣＤＭＡ，ＣＤＭＡ，ＧＳＭ，ＰＤＣ，ＰＨＳ等の無線通信端末機器の機能及び性能を総合的に試験する試験装置に関し、特に、同一の通信方式の複数の無線通信端末機器を同時（パラレル）測定、通信方式の異なる複数の無線通信端末機器を同時（パラレル）測定、或いは異なる通信方式を有する無線通信機器を測定、等の測定を選択的に行える技術に係る。
【０００２】
【従来の技術】
上記のような各種の通信方式の無線通信端末機器の試験を行う試験装置としては、従来、試験装置が有する変調手段、復調手段、解析（測定）手段等のそれぞれに、プログラムを記憶するＲＡＭとそれを実行するＣＰＵ等ハードウェアを備えて、通信方式にのそれぞれにあったプログラムを準備し、試験対象である無線通信端末機器の通信方式に応じた内容のプログラムを前記ＲＡＭに移植して実行させることにより、少ない資源で多種の無線通信端末機器を試験できた（特許文献１を参照）。
【０００３】
さらに、無線通信端末機器の測定項目も多種に亘り、性能的な測定項目としては、変調精度測定、隣接チャネル漏洩測定、占有帯域幅測定、電力測定及び周波数測定等を行われている（特許文献２を参照）。さらに機能的な試験項目としては、基地局間の接続、離脱が所定のプロトコルで所定の規格で行えるかどうかを調べる着呼接続試験がある。
【０００４】
【特許文献１】
特許第３０１７９５５（「００７９」〜「０１１０」、「０２３８」〜「０２６３」、図１、図３）
【特許文献２】
特許第２８３１３２４（「００４１」〜「００４７」、図１）
【０００５】
【発明が解決しようとする課題】
しかしながら、無線通信端末機器（以下、「端末機器」という。）を製造している各メーカは、社会の需要、技術進歩（例えば、特許文献１によれば、その頃は、ＰＤＣ，ＰＨＳ，ＧＳＭの通信方式が主流であり、ＣＤＭＡ関連の通信方式は、開発中の段階であった。）等に応じて都度、有効な製造工程の編成を希望しており、端末機器を試験する装置に対しても、製造工程の多様な編成に対応できる機能構成を要求されている。この製造工程の編成にあたって、ポイントとなるのは、試験のための資源、時間及び製造工程編成の柔軟性である。
【０００６】
上記従来技術にあっては、多数の端末機器を速く試験、複数測定項目を同時に試験、或いは通信方式の異なる複数の無線通信方式の端末機器をほぼ同時に試験、複数通信方式の端末機器の試験、端末機器が移動したとき基地局を替える必要があるがその機能を二つの試験装置で試験するハンドオーバ試験、妨害波を発生する試験装置が必要な妨害波試験等の試験にあたっては、多くの試験装置を準備しそれらを組み合わせて測定していた。また、試験にあたっては、着呼試験、ハンドオーバ試験等においては、応答時間等が規格で決められている。しかし、多くの試験装置を必要とするため、制御指示のタイミング、各試験装置間の同期をとることに苦労していた。
【０００７】
したがって、従来技術で、多様な試験形態に、或いは製造工程に有効に対応する試験装置を提供することは困難であった。
【０００８】
本発明の目的は、端末機器の試験・製造工程の多様な編成に対応できる試験装置を提供することである。それには、端末機器の通信方式の種類、測定（試験）項目、数に対して、資源、試験時間の面において効率的な試験装置を提供することである。
【０００９】
【課題を解決するための手段】
上記目的を達成するための構成として、次の点に着眼した。
・複数の端末制御部、複数の測定部を備えて、それらを独立して制御することで、各種の通信方式の端末機器、多数の端末機器、多数の測定項目を同時に測定できるし、また一つの端末機器に二つの試験装置が不可欠な試験にも対応できる。
・上記独立した各要素に、各種の通信方式のプログラムをダウンロードして実行することにより、各種の通信方式に対応できる。
・複数の端末制御部、複数の測定部を共通バスで接続して、測定制御指示を制御部の一箇所からその共通バスを通して行うことでタイミング、同期等の問題を解決できる。
・一カ所から複数の測定を制御し、その測定結果を一カ所で管理できるため複数の制御情報や測定結果を製造工程の方法に応じて表示させることができる。
【００１０】
具体的な構成としては、請求項１に記載の発明は、同一または異なる通信方式の二つの端末機器が接続可能となっている接続部と、共通バスに接続され、それぞれ前記通信方式に応じたプログラム及び測定指示を受けて、それを実行することにより、前記接続部に接続可能となっている前記端末機器をそれぞれ制御する信号を含む試験信号を出力する第１及び第２の端末制御手段と、前記共通バスに接続され、前記第１及び第２の端末制御手段からの前記試験信号に応答した前記それぞれの端末機器からの応答信号を受けて、前記測定指示で定められた測定を行う測定部と、前記共通バスを介して、予め前記第１及び第２の端末制御手段に対し、前記端末機器の通信方式に応じたプログラムを供給するとともに、それぞれのタイミングで前記測定指示を出力するトータル制御手段とを備えた。
【００１１】
請求項２の発明は、請求項１記載の発明において、前記接続部には、二つの端末機器が接続され、前記トータル制御手段は、前記測定部が前記第各端末機器からの応答信号を時間をずらして測定できるタイミングで前記第１の端末制御部及び第２の端末制御部で制御するよう指示する構成とした。
【００１２】
請求項３の発明は、請求項１記載の発明において、前記接続部には、二つの端末機器が接続され、前記測定部は、第１の測定部と、第２の測定部とからなり、前記トータル制御手段は、前記測定部が前記第各端末機器からの応答信号を時間をずらして測定できるタイミングで前記第１の端末制御部及び第２の端末制御部で制御するよう指示するとともに、前記第１の測定部と第２の測定部とは、同一の端末機器の異なった測定項目を同時に行う構成とした。
【００１３】
請求項４の発明は、請求項１記載の発明において、複数基地局間を移動して通信可能な通信方式の一つの端末機器が接続され、前記トータル制御部は、前記第１の端末制御部及び前記第２の端末制御部に対して、前記通信方式の応じたプログラムをロードさせて実行させるとともに、前記第１の端末制御部に対して一方の擬似基地局としての試験信号を前記端末機器へ送信させ、前記第２の端末制御部に他方の擬似基地局として試験信号を前記端末機器に出力させることによりハンドオーバ試験を行わせる構成とした。
【００１４】
請求項５の発明は、請求項１記載の発明において、前記接続部には、通信方式の異なる二つの基地局間を移動して通信可能な前記異なる二つの通信方式を有する一つの端末機器が接続され、前記トータル制御部は、前記第１の端末制御部及び前記第２の端末制御部に対して、それぞれ異なる通信方式に応じたプログラムをロードさせて実行させるとともに、前記第１の端末制御部に対して一方の通信方式の擬似基地局としての試験信号を前記端末機器へ送信させ、前記第２の端末制御部に他方の通信方式の擬似基地局として試験信号を前記端末機器に出力させることにより、通信方式の異なる擬似基地局間のハンドオーバ試験を行わせる構成とした。
【００１５】
請求項６の発明は、異なる二つの通信方式を有する少なくとも一つの端末機器が接続可能な接続部と、共通バスに接続され、前記異なる通信方式のそれぞれに応じて前記端末機器を制御する信号を含む試験信号を出力する第１の端末制御部及び第２の端末制御部と、前記共通バスに接続され、前記端末機器が前記第１及び第２の端末制御部から受けた前記異なる通信方式の試験信号のそれぞれに応答した応答信号を受けて測定を行う第１の測定部及び第２の測定部と、前記共通バスを介して、前記端末機器を前記第１の端末制御部及び第１の測定部により一方の通信方式にしたがって制御し測定させ、所定のタイミングで切り換えて前記前記第２の端末制御部及び第２の測定部により他の通信方式の通信方式にしたがって制御し測定させるトータル制御部とを備えた。
【００１６】
請求項７の発明は、請求項６記載の発明において、前記第１及び第２の測定部で測定したデータを前記端末機器単位にまとめるデータ処理部を備えた。
【００１７】
請求項８記載の発明は、一つ又は二つの端末機器が接続可能な接続部と、前記二つの前記端末機器を独立して所定のプログラムで定まる通信方式で前記端末機器を制御するための信号を含む試験信号を出力する第１の端末制御部及び第２の端末制御部と、前記端末制御部からの試験信号に対する前記端末端末の応答を受けて測定するための第１の測定部及び第２の測定部と、通信方式に応じた前記プログラムを複数有し、次の組合せ構成の内、少なくとも一つの構成による測定を実行させるトータル制御部と、
ａ．前記接続部に接続された前記二つの端末機器が同一の通信方式であって、前記第１の端末制御部及び第２の端末制御部に同一の通信方式に応じた制御プログラムをロードして実行させることにより、前記第１の端末制御部及び第１の測定部が一方の端末機器を制御し測定させ、前記第２の端末制御部及び第２の測定部が他方の端末機器を制御し測定させる第１の構成、
ｂ．前記接続部に接続された前記二つの端末機器が異なる通信方式であって、前記第１の端末制御部及び第２の端末制御部部のぞれぞれに前記異なる通信方式のそれぞれに対応する制御プログラムをロードして実行させることにより、前記第１の端末制御部及び第１の測定部が一方の端末機器を、前記第２の端末制御部及び第２の測定部が他方の異なる通信方式の端末機器を制御し測定する第２の構成、
ｃ．前記接続部には二つの通信方式を有する一つの端末機器が接続され、
前記第１の端末制御部及び第２の端末制御部部のぞれぞれに前記異なる通信方式のそれぞれに対応する制御プログラムをロードして実行させることにより、前記第１の端末制御部及び第１の測定部が一方の通信方式による測定を、前記第２の端末制御部及び第２の測定部が他方の異なる通信方式による測定を行う第３の構成
とを備えた。
【００１８】
請求項９の発明は、請求項８記載の発明において、前記トータル制御部は、前記第１の構成、第２の構成又は第３の構成に加え、
前記接続部には所定の通信方式の一つの端末機器が接続され、前記第１の端末制御部に前記所定の通信方式のそれぞれに対応する制御プログラムをロードして実行させることにより該端末機器を制御させるとともに、前記第１の測定部及び第２の測定部のそれぞれに前記端末機器の異なる機能又は性能の測定を実行させる第４の構成、のいずれかの構成を選択的に実行させる構成とした。
【００１９】
請求項１０の発明は、請求項８記載の発明において、前記トータル制御部は、前記第１の構成、第２の構成又は第３の構成に加え、
前記接続部には所定の通信方式の一つの端末機器が接続され、前記第１の端末制御部に対して当該端末機器へ妨害信号を含む試験信号を送信させ、前記第２の端末制御部に前記所定の通信方式の制御プログラムをロードして実行させることにより当該端末機器を制御させて、当該制御に対する当該端末機器の応答により、妨害波試験を行わせる第５の構成のいずれかの構成を選択的に実行させる構成とした。
【００２０】
請求項１１の発明は、請求項１の発明において、前記トータル制御手段は、前記測定部で測定した測定結果を前記それぞれの端末機器毎に記憶するデータメモリと、操作部からの指示を受けて、前記データメモリから測定結果を読み出し、表示部に表示させる表示制御部とを備えた。
【００２１】
請求項１２の発明は、請求項１１の発明において、前記表示制御部は、操作部からの指示を受けて、各端末機器の測定結果、又は測定指示を選択的に切り替えて表示させる。
【００２２】
【発明の実施の形態】
本発明の搭載した一つ筐体としてまとめられた試験装置の機能ブロックを図１に示す。図１において端末機器１及び２は、試験対象である無線通信端機器であって、例えば、携帯電話であり、本試験装置に接続部１７を介して接続される。本発明においては、図１では、端末機器１及び２の二つを記載しているが、一つでも試験できる。それらの通信方式については、Ｗ−ＣＤＭＡ，ＧＳＭ、ＣＤＭＡ２０００，ＰＤＣ，ＰＨＳ等が可能であり、二つで試験する場合の通信方式の組合せは、上記の通信方式の端末機器を組合せることができる。例えば、図８にその組合せを示す。
【００２３】
端末制御部５及び６は、端末機器１，２に対しては、擬似基地局としての役割を担う。それらのハード構成は、互いに同じであり、ＲＡＭ及びＣＰＵを有し、後記するトータル制御部９から試験対象である端末機器１，２の通信方式を制御するのに必要なプログラムを受けてＲＡＭに記憶しそれをＣＰＵで実行することにより、その通信方式に沿った試験信号を端末機器１，２に送る。その技術的事項は、特許文献１に記載したものと同じである。
【００２４】
試験信号発生部５ａ，６ａは、所定のクロックを基に、Ｉ（ｔ）、Ｑ（ｔ）のベースバンド信号を発生するととも、そのベースバンド信号には、端末機器１，２に対して擬似基地局として働くために必要な制御情報を含ませている。制御情報としては、端末機器１，２と擬似基地局とでやりとりする位置登録、着呼、切断、その他の試験に必要な指示を含む。
【００２５】
ＲＦ部５ｂ，６ｂは、試験信号発生部５ａ，６ａからのベースバンド信号で変調して、端末機器１，２と同じ、通信方式及び周波数に変換した試験信号を端末機器１，２に送るととともに、その試験信号を受けた端末機器１，２からの応答信号を受信し、測定部７、８へ送る。したがって、図３のように、ＲＦ帯の試験信号の送信、及び受信を行っている。なお、図１では、各ＲＦ部５ｂ，６ｂは、試験信号発生部５ａ，６ａ側にあるが、これは、後記する切替部３の端末機器１，２側に、あってもよい。
【００２６】
測定部７，８は、図２のように、ＲＦ部５ｂ，６ｂからのＩＦ（中間周波数）信号を受けて、直交復調してＩ（ｔ）、Ｑ（ｔ）信号に変換したあと復号部でデコードされ、データ解析部で測定のための解析が行われる。図２では、変調精度測定、隣接チャネル漏洩電力測定、及び電力測定が行える例を示してある。測定部の詳細については、例えば、特許文献２に記載のものがあり、本発明に適用可能である。
【００２７】
切替部３は、スイッチＳ１〜Ｓ４を有し、端末制御部５，６、測定部７，８及び端末機器１，２の間にあって、製造工程における試験する際、端末機器１，２の数、通信方式の種類、測定項目、或いは測定方法等に対応して組合せを変えるための切替を模式的に示したものである。切替部３は、図１のように各スイッチを測定制御部１１からの指示で切り換えてもよいし、一部、例えばＲＦ部分は、手動で切り換えてもよい。製造ライン等において、一度、製造ラインを設定して試験を始めると同一状態で試験するため、必ずしも自動的に切り換えなくともよいためである。そのためには、切替部３の一部は、接続部１７より端末機器１，２側に在ったほうが便利な場合もある。
【００２８】
トータル制御部９は、主に、プログラム管理部１０、測定制御部１１、データ処理部１２、及び表示制御部１４を備えている。
【００２９】
プログラム管理部１０は、端末制御部５、６が、端末機器１，２の通信方式に対応して制御するためのプログラムを、予めメモリ１０ａに記憶しておき、測定制御部１１からの指示で必要なプログラムを出力する。なお、プログラム管理部１０は、新たなプログラム、或いはバージョンを変更したプログラムを外部から受けて、メモリ１０ａへの追加、更新を行うこともできる。
【００３０】
なお、測定部７，８も、通信方式によって、例えば、復号方法が異なるような場合は、メモリ１０ａには予め、そのためのプログラム用意されて、供給される。
【００３１】
測定制御部１１は、端末機器１，２の通信方式に応じて、プログラムをメモリ１０ａから読み出して、各端末制御部５，６へ送るととともに、測定（試験）項目に応じて、共通バスを通して各部を制御する。測定部１，２及び端末制御部５，６は、共通バスに接続される。特に、着呼試験、後記するハンドオーバ試験は、非常に短い時間で行い、そのときの応答時間も試験の一つであるため、共通バスを通して、同期関係を作りながら動作させる必要がある。本発明において、複数の端末機器１，２を扱ううえで、複数の擬似基地局としての端末制御部５，６及び複数の測定部７，８を共通バスで一括して扱えることは、時間制御が非常に容易に、且つ正確に行える特徴を有する。
【００３２】
測定制御部１１は、上記の構成であるから、例えば、図８に示すような各通信方式の端末機器を同時に試験する場合は、通信方式が同じであっても異なっても、独立してパラレルに端末制御部５，６及び測定部１，２を制御することができる。また、後記するが図６、図７に示すような単独の端末機器を制御・測定する場合も、端末制御部５，６及び測定部７，８間の同期がとれた状態で行えるので、タイミングずれによる測定エラーが防止できるし、また指示が測定制御部１１でが統一して出すので指示そのものによるタイミングズレも防止できる。
【００３３】
測定制御部１１は、着呼試験、ハンドオーバ試験等のときは、その試験中における自己が指示したタイミング、端末機器１，２が応答したタイミングを比較計測して、試験結果を判断することも行う。
【００３４】
なお、測定制御部１１には，予め、種々の通信方式、それらの組合せ等による測定項目、測定手順を実行する測定制御プログラムが記憶されており、それをＣＰＵで実行することで、各部を制御する構成となっている。
【００３５】
データ処理部１２は、測定部７，８が測定したデータを処理、管理し、データメモリ１３に記憶させる。特に、端末機器１が、例えば、Ｗ−ＣＤＭＡ及びＧＳＭのデュアルモードで動作するとき、端末制御部５及び測定部７がＷ−ＣＤＭＡとして働き、端末制御部６及び測定部８がＧＳＭとして働き、測定制御部１１からの指示をタイミングとして切り換えて測定するときなど、その測定部７，８が測定したデータを一つの端末機器１のデータとして纏めて、管理する。
【００３６】
表示制御部１４は、測定制御部１１からの指示を受けて、測定項目、測定手順ん、操作等をガイドする表示を行うとともに、データフォーマットを表示し、測定したデータを表示する。
【００３７】
外部インタフェース１６は、外部から制御するためのインタフェースであり測定制御部１１と接続されるが、測定制御部１１は、複数の端末制御部５，６及び測定部７，８を纏めて制御している。そのため、本試験装置に接続される外部装置は、これれらを一つのインタフェースで制御できるので、従来複数の試験装置をタイミングを取りながら制御していたのにくらべ、便利である。
【００３８】
表示部１５では、測定結果と測定指示である制御情報を端末機器１，２毎に表示する。測定結果は、データメモリ１３に端末機器１，２毎に記憶し、操作部１８（表面パネルの操作ボタン等も含む）からの指示を受けて、表示制御部１４がデータメモリ１４から読み出して、表示制御し、表示部１５に表示させる。制御情報は同様に測定制御情報を測定制御部１１から表示制御部１４が受けて、選択された端末機器のデータを表示する。表示制御部１４は、測定結果を表示するか、制御情報を表示するかの設定を受けて、該当データを表示する。
【００３９】
なお、選択された端末機器で測定開始時に制御情報を表示し、測定完了時に測定結果を表示することができる。さらに、選択された端末機器の制御情報を表示し、測定開始とともに測定完了した項目から随時に測定結果を表示することができる。これは、二つの端末機器を測定する機能があり、その表示を任意に選択できるのは、トータル制御部９が二つの測定情報、測定値、及び表示を一括管理しているからである。
【００４０】
以下、本発明を用いた各種の組合せによる試験について説明する。
［実施例１：複数端末機器を独立して同時試験］
図４に各要素による組合せ構成を示す。この構成で試験する端末機器１，２の通信方式による組合せを図８に示す。図４における構成の制御及び測定タイミングを図１１（ａ）、（ｂ）に示す。
【００４１】
図４において、トータル制御部９は、図８のいずれかの通信方式の組合せでなる端末機器１，２に応じて、その通信方式のプログラムを端末制御部５，６及び必要によっては、測定部７，８にロードさせて実行させる。図８のように、通信方式が異なる組合せがあるので、端末制御部５，６及び測定部７，８は、互いには独立している。そしてトータル制御部９は、図１１（ａ）に示す制御を含む試験信号を端末制御部５，６から各端末機器１、２へ送信させて試験する。図１１（ａ）の場合は、各端末機器１、２を同時に試験するためのタイミングチャートであり、位置登録、着呼、測定、切断（通信断）が順じ行われる。
【００４２】
図４において、点線の矢印は、点線枠で示した測定部８を除き、測定部７を双方の系統に時間分割して使用した場合の構成を示す。この場合のタイミングチャートを図１１（ｂ）に示す。図１１（ｂ）のように、トータル制御部９は、各端末機器１、２のそれぞれを測定して時間が重ならないようにタイミングを見計らって制御している。
【００４３】
この場合のトータル制御部９の制御及びそれに対する端末制御部５，６を介した各端末機器１、２の応答を示したのが、図９である。図９は、トータル制御部９からの試験（測定）指示が、互いの測定時間が重ならないタイミングで制御しているのが理解できる。このタイミングは、各端末制御部５，６及び測定部６，７が正確に同期関係があって、なお、かつ試験（測定）が一箇所から出る構成でないと、互いのタイミングズレが時間経過するにつれて大きくなり、問題になってくる。本発明の構成は、これを克服している。
【００４４】
［実施例２：デュアルモード端末機器の試験］
図５（ａ）は、例えば、図５（ｂ）のような一台の携帯電話がＷ−ＣＤＭＡ及びＧＳＭ双方の通信方式の機能を有する場合試験の場合の構成を示す。トータル制御部９が、各通信方式の沿ったプログラムをロードすることにより、端末制御部５及び測定部７がＷ−ＣＤＭＡ通信方式に対応し、端末制御部６及び測定部８がＧＳＭ通信方式に対応するように動作する。先ず、トータル制御部９が、端末制御部５、測定部７及び端末機器１に対して、位置登録等の制御して端末機器１をＷ−ＣＤＭＡモードで動作させて測定させ、その後、端末制御部６、測定部８及び端末機器１に対して、端末機器１をＧＳＭ通信方式モードで動作させ測定する。
【００４５】
［実施例３：ハンドオーバ試験、妨害試験］
図６（ａ）は、図６（ｂ）に示す同一、又は異なる通信方式間のハンドオーバ試験或いは妨害波試験を行うための構成図である。測定部６，７は使用しないで、トータル制御部９が端末制御部５，６を介して、端末機器１と会話形式で制御して、その応答をみて判断する。多くは、端末機器１からの応答或いはその応答時間を計測して判断している。端末制御部５，６へトータル制御部９から端末機器１の通信方式の沿ったプログラムが送られ、実行するのは、これまでと同様である。
【００４６】
図１０に端末機器１がＷ−ＣＤＭＡ及びＧＳＭのデュアル通信モードである場合のハンドオーバの制御状態を示す。図１０において、端末制御部５がＷ−ＣＤＭＡの擬似基地局として動作して端末機器１と試験信号により通信中に、トータル制御部９は、端末制御部６に対してＧＳＭの擬似基地局を開設させる。端末制御部５は、トータル制御部９からハンドオーバの指示を受けて、端末機器１に対してハンドオーバをリクエストし、そのレスポンス（ハンドオーバ開始）を受け取る。この間、端末機器１は、Ｗ−ＣＤＭＡの擬似基地局である端末制御部５からの試験信号とＧＳＭの擬似基地局である端末制御部６からの試験信号の双方を一時的に受けて、後者の試験信号パワーが大きいのでその試験信号のみを通話対象に切り換え、その後ハンドコンプリート（切替完了）信号を端末制御部６へ通知し、端末制御部６は、トータル制御部９へ通知する。基地局間の通信が途切れないためにはハンドオーバの同期ずれの許容時間はｍｓｅｃオーダであり、測定系によるタイミングのズレ、同期ズレは、誤差要因となり、複数の試験装置を使用すると、制御系のタイミング、測定系の同期を取るのに苦労するが、本発明によれば、容易に、十分な測定を行える。
【００４７】
妨害波試験も図６（ａ）の構成で行われるが、この場合は、トータル制御部９は、端末制御部５には、Ｗ−ＣＤＭＡに対応したプログラムをロードして実行させ、端末制御部６には妨害波としての試験件信号を発生させて端末制御部５からの試験信号とともに端末機器１へ送信して正常に動作するかどうか試験する。つまり、図９のトータル制御部９と端末機器１（端末制御部５）と同じような制御・応答が規定の時間内行われるかどうかを試験する。なお、妨害波は、Ｗ−ＣＤＭＡ通信方式であれば、端末機器１が受信対象としているチャンネルのコードとは異なるコードで拡散された信号を入力してやる。
【００４８】
［実施例４：一つの端末機器の複数測定項をの同時測定］
図７（ａ）は、図７（ｂ）に示すような一種類の通信方式の携帯電話、例えばＷ−ＣＤＭＡの複数の測定項目、例えば、電力測定及び変調度測定を同時に測定するための構成である。このときのタイミングチャートを図１１（ｃ）に示す。端末制御部５には、Ｗ−ＣＤＭＡに対応したプログラムがロードされ、実行される。例えば、図１１（ｃ）において、位置登録等の制御は、図１１（ａ）等と同じであるが、測定は、測定１として測定部７が電力測定を行い、同時に、測定２として測定部８が変調度測定を行う。これにより、単一の端末機器１の測定時間を短縮できる。
【００４９】
なお、本試験装置が、上記説明のどの構成で、どの項目を測定するかは、トータル制御部９が制御しており、その状態、測定経過を表示制御部１４により表示部１５に表示することができる。
【００５０】
本発明は、上記のように二つの端末制御部、二つの測定部をベースとして各種の製造ラインに対応できる構成としたが、この例はベースであってこれに限らず、これらを利用した構成、例えば、端末制御部、測定部を追加したような形態は、本発明の範疇である。
【００５１】
【発明の効果】
以上説明したように本発明は、二つの端末制御部、二つの測定部、通信方式に応じたプログラムロード機構、及び全体を統一指示するトータル制御部を備えた構成としたことから、複数の通信方式、複数端末機器のパラレル測定、測定項目のパラレル測定、タイミングの重要なハンドオーバ等の各種の測定を適宜選択して実行できる効果があり、これによって、製造ラインの多様性、試験するための資源の省資源、試験時間の節約等の効果ある。
【図面の簡単な説明】
【図１】本発明を一筐体に搭載した試験装置の機能ブロックを示す図である。
【図２】測定部の機能ブロックを示す図である。
【図３】ＲＦ部を説明するための図である。
【図４】二つの端末機器を独立して、同時に（パラレルに）に試験するための構成を説明する図である。
【図５】デュアルモードの端末機器を試験する構成を説明するための図である。
【図６】ハンドオーバ試験及び妨害波試験を行うための構成を示す図である。
【図７】測定項目の同時（パラレル）測定の構成を説明するための図である。
【図８】独立して試験できる端末機器の通信方式の組合せを説明するための図である。
【図９】デュアルモードの端末機器を試験するための制御・測定の流れを説明するための図である。
【図１０】ハンドオーバ試験の制御・測定の流れを説明するための図である。
【図１１】本発明における測定のタイミングを説明するためのタイミングチャートである。
【符号の説明】
１，２  端末機器、  ３  切替部、  ４  共通バス、  ５，６  端末制御部、
７，８  測定部、  ９  トータル制御部、  １０  プログラム管理部、
１１  測定制御部、  １２  データ処理部、  １３  データメモリ、
１４  表示制御部、  １５  表示部、  １６  外部インタフェース、
１７  接続部、  １８  操作部。
【図１】
2005012274.tif 000003
【図２】
2005012274.tif 000004
【図３】
2005012274.tif 000005
【図４】
2005012274.tif 000006
【図５】
2005012274.tif 000007
【図６】
2005012274.tif 000008
【図７】
2005012274.tif 000009
【図８】
2005012274.tif 000010
【図９】
2005012274.tif 000011
【図１０】
2005012274.tif 000012
【図１１】
2005012274.tif 000013